(57)【要約】【課題】スピーカー等の音源部品が内蔵されるとともに防水性能を備えた電子機器において、使用時における良好な音響性能を確保する。【解決手段】筐体に取り付けられて防水機能を有するスピーカーを覆うカバー部材３において、その裏面３ａのうち、スピーカーの音を通す多数の放音孔６が存在する領域Ａにブラスト加工を施すことにより、水との間の界面張力を減じる所定の粗さを確保する。各々の放音孔６の周囲における水との親和性を向上させることにより、放音孔６に付着した水が表面張力によってそこに止まることが抑止でき、放音孔６が水で塞がれる事態を防止することができる。また、縦に並んだ複数の放音孔６を誘導溝９によって連結すれば、放音孔６に付着した水を誘導溝９を介して効果的に下方に通流させることができる。【選択図】    図３
2004193291.tif 000002
【特許請求の範囲】
【請求項１】
内部に収容された音源部品が発する音を通過させる放音孔が開口する筐体において、
筐体の外側又は内側の少なくとも一方側の表面における前記放音孔の周囲に水との間の界面張力を減じる所定の粗さを確保したことを特徴とする筐体の放音部構造。
【請求項２】
前記放音孔の内周面に所定の粗さを確保したことを特徴とする請求項１記載の筐体の放音部構造。
【請求項３】
前記所定の粗さをブラスト加工により確保したことを特徴とする請求項１又は２記載の筐体の放音部構造。
【請求項４】
前記所定の粗さが確保される側の筐体の表面に、前記放音孔が連結されるとともに筐体の使用時における上下方向に延在する誘導溝を形成したことを特徴とする請求項１，２又は３記載の筐体の放音部構造。
【請求項５】
前記所定の粗さが確保される側の筐体の表面に、前記放音孔の開口縁の一部を切り欠く切欠き部を形成したことを特徴とする請求項１，２又は３記載の筐体の放音部構造。
【請求項６】
前記切欠き部を、前記放音孔の開口縁における筐体の使用状態での下方側に位置して形成したことを特徴とする請求項５記載の筐体の放音部構造。
【請求項７】
前記切欠き部を、前記放音孔を隔て相対向するよう対をなして形成したことを特徴とする請求項５記載の筐体の放音部構造。
【請求項８】
筐体の前記一方側の表面に、使用状態での上下方向に延在するとともに前記切欠き部を連結する誘導溝を形成したことを特徴とする請求項５又は７記載の筐体の放音部構造。
【請求項９】
前記放音孔は、筐体に取り付けられ筐体の一部を構成する別部材に設けられていることを特徴とする請求項１〜８のいずれか１項に記載の筐体の放音部構造。
【発明の詳細な説明】
【０００１】
【発明の属する技術分野】
本発明は、筐体の放音部構造に関する。
【０００２】
【従来の技術】
従来、電子機器において機器本体に防水機能を持たせる場合には、筐体を密閉構造として内部に水が侵入することを防止するのが一般的である。一方、電子機器のうちでスピーカーやブザーの音源部品が内蔵されたものにあっては、ピーカー等を被う筐体の一部には、音を通過させる小口径の放音孔を多数設けることにより、使用時における音声やアラーム音の音量が確保されている。したがって、そのような放音孔が多数設けられている放音部については密閉構造によって防水性を確保することができない。
【０００３】
これに関する対策としては、筐体の放音部の内面に、防水機能を有しながらミクロン単位の多数の孔により音を通す機能を有する四フッ化エチレンや多孔質膜等による防水膜を設ける方法が知られている（下記、特許文献１参照）。また、これとは別に、より高い防水性能が要求される電子機器、例えば浴室用のラジオやテレビにおいては、筐体の放音部における水の侵入は許容したままで、スピーカーにそれ自体が防水性能を有する部品を使用することも行われている。
【０００４】
【特許文献１】
特開平９−１４９４４７号公報（「０００４」段落、図２、図３参照）
【０００５】
【発明が解決しようとする課題】
しかしながら、前述したように音源部品として防水性能を有するものを使用する場合においては、次のような問題があった。すなわち筐体の放音部における水の侵入は許容するといっても、異物等の侵入を防止するには、放音孔の開口径はある程度小さくする必要がある。そのため、放音部に水がかかった際には、放音孔に付着した水が表面張力によってそこに止まることにより、放音孔が水で塞がれたままの状態となり、その結果、スピーカーから放音される音声の音量が低下するとともに音質が劣化するという問題があった。
【０００６】
本発明は、かかる従来の課題に鑑みてなされたものであり、スピーカー等の音源部品が内蔵されるとともに防水性能を備えた電子機器において、使用時における良好な音響性能を確保することができる筐体の放音部構造を提供することを目的とする。
【０００７】
【課題を解決するための手段】
前記課題を解決するために請求項１の発明にあっては、内部に収容された音源部品が発する音を通過させる放音孔が開口する筐体において、筐体の外側又は内側の少なくとも一方側の表面における前記放音孔の周囲に水との間の界面張力を減じる所定の粗さを確保したものとした。
【０００８】
かかる構成においては、放音孔の周囲における親水性を向上させることにより、放音孔に付着した水が表面張力によってそこに止まることを抑止することができる。
【０００９】
また、請求項２の発明にあっては、前記放音孔の内周面に所定の粗さを確保したものとした。
【００１０】
かかる構成においては、放音孔の内周面における親水性を向上させることにより、放音孔に付着した水が表面張力によってそこに止まることをより確実に抑止することができる。
【００１１】
また、請求項３の発明にあっては、前記所定の粗さをブラスト加工により確保したものとした。
【００１２】
また、請求項４の発明にあっては、前記所定の粗さが確保される側の筐体の表面に、前記放音孔が連結されるとともに筐体の使用時における上下方向に延在する誘導溝を形成したものとした。
【００１３】
かかる構成においては、放音孔が多数並んで設けられている場合においても、各放音孔に止まろうとする水を誘導溝を介して重力によってスムーズに逃がすことができる。
【００１４】
また、請求項５の発明にあっては、前記所定の粗さが確保される側の筐体の表面に、前記放音孔の開口縁の一部を切り欠く切欠き部を形成したものとした。
【００１５】
かかる構成においては、放音孔に止まろうとする水を切欠き部から放音孔の周囲に逃がすことができ、放音孔に水が止まることをより確実に抑止することができる。
【００１６】
また、請求項６の発明にあっては、前記切欠き部を、前記放音孔の開口縁における筐体の使用状態での下方側に位置して形成したものとした。
【００１７】
かかる構成においては、使用状態において、放音孔に止まろうとする水を重力によって切欠き部から効果的に逃がすことができる。
【００１８】
また、請求項７の発明にあっては、前記切欠き部を、前記放音孔を隔て相対向するよう対をなして形成したものとした。
【００１９】
また、請求項８の発明にあっては、筐体の前記一方側の表面に、使用状態での上下方向に延在するとともに前記切欠き部を連結する誘導溝を形成したものとした。
【００２０】
かかる構成においては、放音孔から切欠き部に逃がした水を誘導溝を介して所定の方向へ導くことにより、放音孔が多数並んで設けられている場合においても、ある放音孔から切欠き部を介して逃がした水が、一時的に他の放音孔を塞ぐことが防止できる。
【００２１】
また、請求項９の発明にあっては、前記放音孔は、筐体に取り付けられ筐体の一部を構成する別部材に設けられているものとした。
【００２２】
【発明の実施の形態】
以下、本発明の一実施の形態を図にしたがって説明する。
【００２３】
（第１の実施の形態）
図１は、本発明の第１の実施の形態を示す防水機能を備えた小型の防水テレビ１の正面図である。この防水テレビ１は、内部に各種の電子部品が収容された筐体２を有しており、筐体２の正面右側には、筐体２の一部を構成するカバー部材３が着脱可能に取り付けられている。
【００２４】
防水テレビ１においては、前記カバー部材３によって被われていない表示部１ａに液晶表示器（図示せず）が収容されている。また、カバー部材３の図で上側を占める操作部１ｂには、表面に露出した複数の操作ボタン４が収容されており、カバー部材３の図で下側を占める放音部１ｃには、それ自体が防水機能を備えた音源部品であるスピーカー５が収容されている。さらに放音部１ｃには、スピーカー５と対応して、スピーカー５の発する音を通過させるための放音孔６が多数設けられている。放音孔６は、図２に示したように直径Ｌが２ｍｍの小さな丸穴であって、上下左右に等間隔に整列して配置されている。
【００２５】
一方、前記カバー部材３はＡＢＳ樹脂からなる成形品であって、図３に示したようにカバー部材３の裏面３ａには、前述した操作部１ｂに相当する領域に、各操作ボタン４を露出させる各々の各角穴７の周囲を補強するためのリブ８が突設されている。また、前述した放音部１ｃに相当する領域には、縦方向に並んでいる複数の放音孔６を連通する一般部９ａとその下端部に連続する端末部９ｂとからなる誘導溝９が互いに並行して複数本形成されている。また、カバー部材３の下端部には、内部に侵入した水を外部に排水するための排水口１０が設けられている。
【００２６】
図４は、前記誘導溝９の一般部９ａにおける平面形状及び断面形状を示した図であって、同図（ａ）に示したように、本実施の形態における誘導溝９は放音孔６の直径Ｌと同一の溝幅を有する断面Ｕ字型（上方に開口するコ字型）に形成されており、その底部に各放音孔６が開口されている。また、誘導溝９の端末部９ｂは、溝幅と深さとを漸次減少させながら下方に延びカバー部材３の下端付近において消失する端末部９ｂとから構成されている。
【００２７】
さらにカバー部材３の裏面３ａにおいては、その成形後において、複数本の誘導溝９を囲んでカバー部材３の下端に達する矩形領域Ａにブラスト加工が施されている。ブラスト加工は、周知のように粒子の細かな粒を連続的に加工表面に衝突させ（吹きつけ）、表面を均一に粗す表面処理であり、それにより上記の矩形領域Ａには、各誘導溝９の内部及び各放音孔６の内周面６ａ（図２参照）を含め、水との間の界面張力を減じる所定の粗さが確保されている。なお、本実施の形態においてはブラスト加工に使用した粒の粒度が＃６０であり、それに応じた粗さが矩形領域Ａに確保されている。
【００２８】
以上の構成からなる本実施の形態においては、図５（ａ）に示したように、カバー部材３の裏面３ａにおけるブラスト加工が施されていない一般領域（操作部１ｂに相当する領域等）は、それが平滑面であるのに対し、同図（ｂ）に示したように、ブラスト加工が施されている矩形領域Ａは、ブラスト加工に伴い形成された突起１１がほぼ均一に存在する凹凸面となっている。そのため、矩形領域Ａにおいては、他の一般領域に比べて水との間の界面張力が小さく、付着した水滴Ｗの大きさが小さくなる。つまり水との親和性が高い。
【００２９】
そのため、防水テレビ１を浴室等において使用しているときには、放音部１ｃにかかった水が放音孔６に付着した際、その水が表面張力によってそこに止まることを抑止され、同時に放音孔６から誘導溝９の一般部９ａに逃がされ、さらには自重により誘導溝９を伝ってカバー部材３の下端部側へスムーズに誘導される。したがって、放音孔６が付着した水によって塞がれることに起因する、スピーカー５が発する音声等の音量低下や音質劣化を回避することができ、その結果、良好な音響性能を確保することが可能となる。
【００３０】
また、本実施の形態においては、誘導溝９の端末部９ｂが、前述したように溝幅と深さとを漸次減少させながら下方に延びカバー部材３の下端付近において消失する形状であるため、誘導溝９の下端側における水の流れもスムーズであり、上方側の放音孔６から逃がされた水によって下方側の放音孔６が一時的に塞がれる状態を直ちに解消させることができる。
【００３１】
なお、本実施の形態においては、誘導溝９の一般部９ａを断面Ｕ字型としたが、図４（ｂ）に示した変形例のように断面Ｖ字型に形成するようにしてもよい。また、一般部９ａの溝幅が放音孔６の直径Ｌと同一としたが、図６に示した変形例のように、放音孔６の直径Ｌよりも大きくしてもよく、その場合においても、断面形状を同図（ａ）のようにＵ字型としたり、同図（ｂ）のようにＶ字型としたりしてもよい。さらに、図７に示した変形例のように、放音孔６の直径Ｌよりも小さくしてもよく、その場合においても、断面形状を同図（ａ）のようにＵ字型としたり、同図（ｂ）のようにＶ字型としたりしてもよい。
【００３２】
（第２の実施の形態）
【００３３】
次に、本発明の第２の実施の形態について説明する。本実施の形態は、前述したカバー部材３の裏面３ａにおいて誘導溝９を廃止し、図８に示したように、各放音孔６の開口縁６ｂの一部を切り欠く切欠き部２１を形成したものである。本実施の形態において、開口縁６ｂは、防水テレビ１の使用時に斜め下４５°方向に位置する部分を切欠き部２１によって切り欠かれており、切欠き部２１は、それ自体が斜め下４５°方向に長さを有している。また、第１の実施の形態の誘導溝９と同様、切欠き部２１の内部にもブラスト加工が施されている。
【００３４】
したがって、本実施の形態においては、防水テレビ１を使用しているとき、放音孔６に付着した水が表面張力によってそこに止まることがなく、放音孔６から切欠き部２１に逃がされ、さらには自重により放音孔６の斜め下方向の周囲にスムーズに逃がすことができる。よって、本実施の形態においても、放音孔６が付着した水によって塞がれることに起因する、スピーカー５が発する音声等の音量低下や音質劣化を回避することができ、その結果、良好な音響性能を確保することが可能となる。
【００３５】
また、本実施の形態では、切欠き部２１によって放音孔６の開口縁６ｂを切り欠く部位を、斜め下４５°方向の一部とし、かつ切欠き部２１の形状を、長さを有する形状としたことから、ある放音孔６から逃がされた水によって、その下に位置する放音孔６が一時的に塞がれる自体を未然に回避することができる。
【００３６】
なお、放音孔６の開口縁６ｂを切り欠く部位は、防水テレビ１の使用時に下側に位置する部分であれば、本実施の形態と異なる部位としてもよい。その場合であっても、本実施の形態と同様に、ブラスト加工により表面の親水性が向上していることに加え水の重力によっても、放音孔６に止まろうとする水を放音孔６の周囲に逃がすことができる。さらに、開口縁６ｂを切り欠く部位は、必ずしも下側に位置させなくともよい。その場合においても、水が放音孔６に付着した際、その水が表面張力によってそこに止まることを抑止することができる。
【００３７】
また、切欠き部２１の形状についても、必ずしも長さを有する形状としなくともよいが、長さを有する形状とすれば、放音孔６から水を逃がす方向をある程度制御できるという利点がある。
【００３８】
（第３の実施の形態）
【００３９】
次に、本発明の第３の実施の形態について説明する。本実施の形態は、前述したカバー部材３の裏面３ａにおいて、第２の実施の形態で説明した切欠き部２１を、図９に示したように、放音孔６の開口縁６ｂの４箇所に均等に配置したものである。
【００４０】
かかる構成においては、水が放音孔６に付着し水が表面張力によってそこに止まろうとするとき、その水滴が切欠き部２１の存在により４方向に引き延ばされた形状、つまり不安定な形状となり、そこに止まりにくくなる。したがって、水が放音孔６に付着した際、その水が表面張力によってそこに止まることを抑止することができ、本実施の形態においても、放音孔６が付着した水によって塞がれることに起因する、スピーカー５が発する音声等の音量低下や音質劣化を回避することができ、その結果、良好な音響性能を確保することが可能となる。
【００４１】
なお、本実施の形態では、切欠き部２１を放音孔６の開口縁６ｂの４箇所に均等に配置したが、少なくとも、切欠き部２１を、放音孔６を隔て相対向するよう２箇所に対をなして形成すれば、本実施の形態と同様に、放音孔６に付着した水が表面張力によってそこに止まろうとするときには、それを不安定な形状とすることができるため、前述した効果を得ることができる。
【００４２】
（第４の実施の形態）
【００４３】
次に、本発明の第４の実施の形態について説明する。本実施の形態は、図１０（ａ）、同図（ｂ）に示したように、カバー部材３の裏面３ａに、第２の実施の形態で説明した複数の切欠き部２１を連結する、上下方向に延在する誘導溝４１を形成するものである。誘導溝４１の詳細については第１の実施の形態で説明した誘導溝９と同様であり、その断面形状は図１０（ａ）のようにＵ字型としても、同図（ｂ）のようにＶ字型としてもよく、また溝幅は任意である。
【００４４】
かかる構成においては、水が放音孔６に付着した水が表面張力によってそこに止まることを抑止され、同時に放音孔６から切欠き部２１を介して誘導溝４１へ逃がされ、それを伝ってカバー部材３の下端部側へスムーズに誘導されることとなる。よって、第１の実施の形態と同様の効果を得ることができる。
【００４５】
さらに、本実施の形態においては、第１の実施の形態と異なり、誘導溝４１が複数の放音孔６を直接連結するものではない、上方側の放音孔６から切欠き部２１を介して誘導溝４１へ逃がした水が一時的に下方側の放音孔６を塞ぐことが防止できるという利点がある。
【００４６】
なお、以上説明した第１〜第４の実施の形態においては、カバー部材３の裏面３ａに、放音孔６とは別に誘導溝９、切欠き部２１、切欠き部２１と誘導溝４１をそれぞれ形成するものについて説明したが、それらを一切設けることなく、ブラスト加工のみを施す構成としても構わない。その場合であっても、各々の放音孔６の周囲における水との親和性を向上させることにより、付着した水によって放音孔６が塞がれる事態を防止することができ、使用時に良好な音響性能を確保することが可能である。
【００４７】
また、上記効果を得るに際しては、放音孔６の内周面６ａについてはブラスト加工を省略してもよく、また、ブラスト加工を施す領域を各々の放音孔６の周囲のみに限定してもよい。さらに、ブラスト加工をカバー部材３の表面側に施したり、裏面側と表面側の双方に施したりしてもよい。但し、前述した実施の形態のようにブラスト加工を裏面側のみとした方が、外観品質の確保が容易である。
【００４８】
また、以上の説明した実施の形態においては、前述した矩形領域Ａや放音孔６の内周面６ａに、ブラスト加工を施すことによって水との間の界面張力を減じる所定の粗さを確保するようにしたが、ブラスト加工以外の方法により、所定の粗さを確保するようにしてもよい。例えばカバー部材３を成形する金型の表面に予め粗さを確保しておくようにしてもよい。
【００４９】
また、放音孔６が丸穴である場合を示したが、放音孔６は角穴や長穴であっても構わない。さらに、放音孔６がカバー部材３に設けられているものを説明したが、カバー部材３を有しておらず放音孔６が筐体に設けられているものでは、前述した各実施の形態と同様の構成を、そうした筐体に備えさせるようにしてもよい。
【００５０】
また、本発明における音源部品がスピーカー５であって放音孔６が多数存在する実施の形態について説明したが、これに限らず、例えば音源部品がアラーム音を発生するブザーであって放音孔が１つしか存在しない筐体等についても本発明を採用することができる。その場合においても、音量低下や音質劣化（音質の変化）を防止することができる。
【００５１】
【発明の効果】
以上説明したように請求項１の発明においては、放音孔の周囲における親水性を向上させることにより、放音孔に付着した水が表面張力によってそこに止まることを抑止することができるようにした。よって、スピーカー等の音源部品が内蔵されるとともに防水性能を備えた電子機器において、使用時に良好な音響性能を確保することが可能となる。
【００５２】
また、請求項２の発明においては、放音孔の内周面における親水性を向上させることにより、放音孔に付着した水が表面張力によってそこに止まることをより確実に抑止することができるようにした。よって、上記効果をより確実なものとすることが可能となる。
また、請求項４の発明においては、放音孔が多数並んで設けられている場合においても、各放音孔に止まろうとする水を誘導溝を介して重力によってスムーズに逃がすことができるようにした。よって、放音孔が多数並んで設けられている場合においても、上記効果をより確実なものとすることが可能となる。
【００５３】
また、請求項５の発明においては、放音孔に止まろうとする水を切欠き部から放音孔の周囲に逃がすことができ、放音孔に水が止まることをより確実に抑止することができるようにした。よって、上記効果をより一層確実なものとすることが可能となる。
【００５４】
また、請求項６の発明においては、使用状態において、放音孔に止まろうとする水を重力によって切欠き部から効果的に逃がすことができるようにした。これによっても、上記効果をより一層確実なものとすることが可能となる。
【００５５】
また、請求項８の発明においては、放音孔が多数並んで設けられている場合においても、ある放音孔から切欠き部を介して逃がした水が、一時的に他の放音孔を塞ぐことが防止できる。よって、放音孔が多数並んで設けられている場合においても、上記効果確実なものとすることが可能となる。
【図面の簡単な説明】
【図１】本発明の各実施の形態に共通する防水テレビの正面図である。
【図２】同防水テレビの放音部を示す外観斜視図である。
【図３】同防水テレビのカバー部材の背面図である。
【図４】（ａ）はカバー部材の裏面側の要部を示す説明図、（ｂ）はその変形例を示す説明図である。
【図５】同実施の形態の作用を示す模式説明図である。
【図６】同実施の形態の変形例を示す図４に対応する説明図である。
【図７】同実施の形態の変形例を示す図４に対応する説明図である。
【図８】本発明の第２の実施の形態を示す説明図である。
【図９】本発明の第３の実施の形態を示す説明図である。
【図１０】本発明の第４の実施の形態を示す図４に対応する説明図である。
【符号の説明】
１    防水テレビ
１ａ    表示部
１ｂ    操作部
１ｃ    放音部
２    筐体
３    カバー部材
３ａ    裏面
５    スピーカー
６    放音孔
６ａ    内周面
６ｂ    開口縁
９    誘導溝
２１    切欠き部
４１    誘導溝
Ａ    矩形領域
Ｗ    水滴
【図１】
2004193291.tif 000003
【図２】
2004193291.tif 000004
【図３】
2004193291.tif 000005
【図４】
2004193291.tif 000006
【図５】
2004193291.tif 000007
【図６】
2004193291.tif 000008
【図７】
2004193291.tif 000009
【図８】
2004193291.tif 000010
【図９】
2004193291.tif 000011
【図１０】
2004193291.tif 000012